(57)【要約】【目的】  本発明の目的は、軽量化を図ることが可能なメガネを提供することにある。【構成】  メガネは、フロントフレーム１１０と、第１、第２レンズ部４００ａ、４００ｂと、位置角度調整手段５００ａ、５００ｂとを備えている。位置角度調整手段５００ａ、５００ｂは、フロントフレーム１１０のスリット１１１ａ、１１１ｂと、フロントフレーム１１０のスリット１１１ａ、１１１ｂに第１方向Ｄ１に移動自在に係合された位置調整棒５１０ａ、５１０ｂとを有している。【選択図】      図１
2012173716.tif 000002
【特許請求の範囲】
【請求項１】
フロントフレームと、
第１、第２レンズ部と、
前記フロントフレームに対して前記第１、第２レンズ部を、当該フロントフレームの長さ方向に対して略平行な第１方向に各々位置調整可能な第１位置調整手段とを備えているメガネ。
【請求項２】
請求項１記載のメガネにおいて、
前記フロントフレームに対して前記第１、第２レンズ部を、当該第１、第２レンズ部が前記フロントフレームに接近離反可能な方向である第２方向に位置調整可能な第２位置調整手段を更に備えているメガネ。
【請求項３】
請求項１又は２記載のメガネにおいて、
前記フロントフレームに対して前記第１、第２レンズ部を、前記メガネの前後方向である第３方向に各々回転させることが可能な角度調整手段を更に備えているメガネ。
【請求項４】
請求項１記載のメガネにおいて、
前記第１位置調整手段は、前記フロントフレームに設けられ且つ前記第１方向に延びた第１、第２スリットと、
前記第１、第２スリット内に前記第１方向に移動自在に係合された第１、第２位置調整棒とを有しており、
前記第１、第２レンズ部が第１、第２位置調整棒に固着されているメガネ。
【請求項５】
請求項２記載のメガネにおいて、
前記第１、第２位置調整手段は一体的に構成されており、
当該第１、第２位置調整手段は、前記フロントフレームを前記第２方向に貫通し且つ前記第１方向に延びた第１、第２スリットと、
前記第１、第２スリット内に前記第１、第２方向に移動自在に係合された第１、第２位置調整棒とを有しており、
前記第１、第２レンズ部が第１、第２位置調整棒に固着されているメガネ。
【請求項６】
請求項３記載のメガネにおいて、
前記第１位置調整手段及び角度調整手段が一体的に構成されており、
前記第１位置調整手段及び角度調整手段は、前記フロントフレームに設けられ且つ前記第１方向に延びた第１、第２スリットと、
前記第１、第２スリット内に前記第１方向に移動自在且つ前記第３方向に回転自在に係合された第１、第２位置調整棒とを有しており、
前記第１、第２レンズ部が第１、第２位置調整棒に固着されているメガネ。
【請求項７】
請求項３記載のメガネにおいて、
前記第１位置調整手段及び角度調整手段が一体的に構成されており、
当該第１位置調整手段及び角度調整手段は、前記フロントフレームに設けられ且つ前記第１方向に延びた第１、第２スリットと、
第１、第２位置調整棒とを有し、
前記第１、第２位置調整棒は、前記第１、第２スリット内に前記第１方向に移動自在に係合される第１端部と、
前記第１、第２レンズ部が第３方向に回転自在に係合された第２端部とを有するメガネ。
【請求項８】
請求項１記載のメガネにおいて、
前記第１位置調整手段は、前記フロントフレームに前記第１方向に回動自在に連結された第１、第２回動アームを有し、
前記第１、第２レンズ部は第１、第２回動アームに固着されているメガネ。
【請求項９】
請求項２記載のメガネにおいて、
前記第１位置調整手段は、前記フロントフレームに前記第１方向に回動自在に連結された第１、第２回動アームを有し、
前記第２位置調整手段は、前記第１、第２回動アームに前記第２方向に回動自在に連結された第３、第４回動アームを有しており、
前記第１、第２レンズ部は第３、第４回動アームに固着されているメガネ。
【請求項１０】
請求項１記載のメガネにおいて、
前記第１位置調整手段は、前記フロントフレームに固着されており且つ前記第１方向に延びる第１、第２係合孔を有するブリッジと、
前記ブリッジの第１、第２係合孔に前記第１方向に移動自在に係合された第３、第４位置調整棒とを有しており、
前記第１、第２レンズ部が第３、第４位置調整棒に固着されているメガネ。
【請求項１１】
請求項２記載のメガネにおいて、
前記第１、第２位置調整手段が一体的に構成されており、
当該第１、第２位置調整手段は、前記フロントフレームに対して前記第２方向に移動自在に係合されており且つ前記第１方向に延びる第１、第２係合孔を有するブリッジと、
前記ブリッジの第１、第２係合孔に前記第１方向に移動自在に係合された第３、第４位置調整棒とを有しており、
前記第１、第２レンズ部が第３、第４位置調整棒に固着されているメガネ。
【請求項１２】
請求項１〜１０記載のメガネにおいて、
前記第１、第２レンズ部は、液晶シャッタレンズ、アナグリフ式レンズ又は偏光フィルタ式レンズを有するメガネ。
【発明の詳細な説明】
【技術分野】
【０００１】
本発明はメガネに関する。
【背景技術】
【０００２】
従来の立体画像視用メガネとしては、左右の視界が交互に遮蔽される第１、第２液晶シャッタレンズを備えたものがある（特許文献１参照）。
【先行技術文献】
【特許文献】
【０００３】
【特許文献１】特表２０１０−５３９５２６号公報（ＷＯ／ＵＳ２００８／０７５５５４号公報）
【発明の概要】
【発明が解決しようとする課題】
【０００４】
前記メガネにおいて、第１、第２液晶シャッタレンズの重量が大きな割合を占めている。前記メガネは、万人の眼球の位置に対応できるように、第１、第２液晶シャッタレンズが大きめに作成されている。このため、第１、第２液晶シャッタレンズの重量が重くなり、前記メガネの軽量化の妨げとなっていた。
【０００５】
本発明は、上記事情に鑑みて創案されたものであって、その目的とするところは、軽量化を図ることが可能なメガネを提供することにある。
【課題を解決するための手段】
【０００６】
上記課題を解決するために、本発明のメガネは、フロントフレームと、第１、第２レンズ部と、前記フロントフレームに対して前記第１、第２レンズ部を、当該フロントフレームの長さ方向に対して略平行な第１方向に各々位置調整可能な第１位置調整手段とを備えている。
【０００７】
このような発明の態様による場合、第１位置調整手段により第１、第２レンズ部がフロントフレームに対して第１方向に各々位置調整可能になっている。よって、使用者の眼球の位置に合わせて第１、第２レンズ部の位置を調整することができるので、第１、第２レンズ部の小型化及びメガネの軽量化を図ることができる。しかも、第１、第２レンズ部が小型化することにより、第１、第２レンズ部のコストダウンを図ることもできる。
【０００８】
前記メガネは、前記フロントフレームに対して前記第１、第２レンズ部を、当該第１、第２レンズ部が前記フロントフレームに接近離反可能な方向である第２方向に位置調整可能な第２位置調整手段を更に備えた構成とすることが可能である。
【０００９】
このような発明の態様による場合、第２位置調整手段により第１、第２レンズ部がフロントフレームに対して第２方向に位置調整可能になっている。よって、使用者の眼球の高さ位置に合わせて第１、第２レンズ部の高さ位置を調整することができるので、第１、第２レンズ部の小型化及びメガネの軽量化を更に図ることができる。しかも、第１、第２レンズ部が更に小型化することにより、第１、第２レンズ部のコストダウンを更に図ることもできる。
【００１０】
前記フロントフレームに対して前記第１、第２レンズ部を、前記メガネの前後方向である第３方向に各々回転させることが可能な角度調整手段を更に備えた構成とすることが可能である。
【００１１】
このような発明の態様による場合、角度調整手段により、前記フロントフレームに対して前記第１、第２レンズ部を第３方向に各々回転させることにより、当該第１、第２レンズ部の角度調整を行うことができる。
【００１２】
前記第１位置調整手段は、前記フロントフレームに設けられ且つ前記第１方向に延びた第１、第２スリットと、前記第１、第２スリット内に前記第１方向に移動自在に係合された第１、第２位置調整棒とを有する構成とすることが可能である。この場合、前記第１、第２レンズ部が第１、第２位置調整棒に固着されている。
【００１３】
このような発明の態様による場合、第１、第２位置調整棒を第１、第２スリット内で第１方向に移動させるだけで、第１、第２レンズ部の第１方向の位置調整を簡単に行うことができる。また、第１、第２位置調整棒を第１、第２スリットに係合するだけで、第１、第２位置調整棒をフロントフレームに簡単に取り付けることができる。よって、メガネの組み立てが容易になり、メガネの低コスト化を図ることができる。
【００１４】
前記第１、第２位置調整手段は一体的に構成された構成とすることが可能である。この場合、前記第１、第２位置調整手段は、前記フロントフレームを前記第２方向に貫通し且つ前記第１方向に延びた第１、第２スリットと、前記第１、第２スリット内に前記第１、第２方向に移動自在に係合された第１、第２位置調整棒とを有している。前記第１、第２レンズ部が第１、第２位置調整棒に固着されている。
【００１５】
このような発明の態様による場合、第１、第２位置調整棒を第１、第２スリット内で第１及び／又は第２方向に移動させるだけで、第１、第２レンズ部の第１及び／又は第２方向の位置調整を簡単に行うことができる。また、第１、第２位置調整棒を第１、第２スリットに係合させるだけで、第１、第２位置調整棒をフロントフレームに簡単に取り付けることができる。よって、メガネの組み立てが容易になり、メガネの低コスト化を図ることができる。
【００１６】
前記第１位置調整手段及び角度調整手段が一体的に構成された構成とすることが可能である。この場合、前記第１位置調整手段及び角度調整手段は、前記フロントフレームに設けられ且つ前記第１方向に延びた第１、第２スリットと、前記第１、第２スリット内に前記第１方向に移動自在且つ前記第３方向に回転自在に係合された第１、第２位置調整棒を有している。前記第１、第２レンズ部が第１、第２位置調整棒に固着されている。
【００１７】
このような発明の態様による場合、第１、第２位置調整棒を第１、第２スリット内で第１方向に移動させるだけで、第１、第２レンズ部の第１方向の位置調整を簡単に行うことができる。また、第１、第２位置調整棒を第１、第２スリット内で回転させるだけで、第１、第２レンズ部の角度を簡単に調整することができる。更に、第１、第２位置調整棒を第１、第２スリットに係合させるだけで、第１、第２位置調整棒をフロントフレームに簡単に取り付けることができる。よって、メガネの組み立てが容易になり、メガネの低コスト化を図ることができる。
【００１８】
或いは、前記第１、第２位置調整棒は、前記第１、第２スリット内に前記第１方向に移動自在に係合される第１端部と、前記第１、第２レンズ部が前記第３方向に回転自在に係合された第２端部とを有する構成とすることが可能である。
【００１９】
このような発明の態様による場合、第１、第２位置調整棒の第１端部を第１、第２スリット内で第１方向に移動させるだけで、第１、第２レンズ部の第１方向の位置調整を簡単に行うことができる。また、第１、第２レンズ部を第１、第２位置調整棒に対して回転させるだけで、第１、第２レンズ部の角度を簡単に調整することができる。更に、第１、第２位置調整棒を第１、第２スリットに係合させるだけで、第１、第２位置調整棒をフロントフレームに簡単に取り付けることができる。よって、メガネの組み立てが容易になり、メガネの低コスト化を図ることができる。
【００２０】
前記第１位置調整手段は、前記フロントフレームに前記第１方向に回動自在に連結された第１、第２回動アームを有する構成とすることが可能である。前記第１、第２レンズ部は第１、第２回動アームに固着されている。
【００２１】
このような発明の態様による場合、第１、第２回動アームを回動させるだけで、第１、第２レンズ部が第１方向に移動する。よって、第１、第２レンズ部の第１方向の位置調整を簡単に行うことができる。
【００２２】
前記第１位置調整手段は、前記フロントフレームに前記第１方向に回動自在に連結された第１、第２回動アームを有し、前記第２位置調整手段は、前記第１、第２回動アームに前記第２方向に回動自在に連結された第３、第４回動アームを有する構成とすることが可能である。前記第１、第２レンズ部は第３、第４回動アームに固着されている。
【００２３】
このような発明の態様による場合、第１、第２回動アームを回動させるだけで、第１、第２レンズ部が第１方向に移動する。よって、第１、第２レンズ部の第１方向の位置調整を簡単に行うことができる。また、第３、第４回動アームを回動させるだけで、第１、第２レンズ部が第２方向に移動する。よって、第１、第２レンズ部の第２方向の位置調整を簡単に行うことができる。
【００２４】
前記第１位置調整手段は、前記フロントフレームに固着されており且つ前記第１方向に延びる第１、第２係合孔を有するブリッジと、前記ブリッジの第１、第２係合孔に前記第１方向に移動自在に係合された第３、第４位置調整棒とを有する構成とすることが可能である。前記第１、第２レンズ部が第３、第４位置調整棒に固着されている。
【００２５】
このような発明の態様による場合、第３、第４位置調整棒を第１、第２係合孔内で第１方向に移動させるだけで、第１、第２レンズ部の第１方向の位置調整を簡単に行うことができる。また、第３、第４位置調整棒を第１、第２係合孔に係合させるだけで、第３、第４位置調整棒をブリッジに簡単に取り付けることができる。よって、メガネの組み立てが容易になり、メガネの低コスト化を図ることができる。
【００２６】
前記第１、第２位置調整手段が一体的に構成されている場合、当該第１、第２位置調整手段は、前記フロントフレームに対して前記第２方向に移動自在に係合されており且つ前記第１方向に延びる第１、第２係合孔を有するブリッジと、前記ブリッジの第１、第２係合孔に前記第１方向に移動自在に係合された第３、第４位置調整棒とを有する構成とすることが可能である。前記第１、第２レンズ部が第３、第４位置調整棒に固着されている。
【００２７】
このような発明の態様による場合、第３、第４位置調整棒を第１、第２係合孔内で第１方向に移動させるだけで、第１、第２レンズ部の第１方向の位置調整を簡単に行うことができる。また、ブリッジをフロントフレームに対して第２方向に移動させるだけで、第１、第２レンズ部の第２方向の位置調整を簡単に行うことができる。更に、第３、第４位置調整棒を第１、第２係合孔に係合させるだけで、第３、第４位置調整棒をブリッジに簡単に取り付けることができる。よって、メガネの組み立てが容易になり、メガネの低コスト化を図ることができる。
【００２８】
前記第１、第２レンズ部は、液晶シャッタレンズ、アナグリフ式レンズ又は偏光フィルタ式レンズを有する構成とすることが可能である。
【図面の簡単な説明】
【００２９】
【図１】本発明の第１実施例に係る立体画像視用メガネの概略的斜視図である。
【図２】本発明の第２実施例に係る立体画像視用メガネの概略的斜視図である。
【図３】本発明の第３実施例に係る立体画像視用メガネの概略的正面図である。
【発明を実施するための形態】
【００３０】
以下、本発明の実施例１〜３について説明する。
【実施例１】
【００３１】
まず、本発明の実施例１に係る立体画像視用メガネについて図１を参照しつつ説明する。このメガネは、フレーム１００と、クリングス２００と、一対のノーズパッド３００と、右目用、左目用のレンズ部４００ａ、４００ｂ（第１、第２レンズ）と、位置角度調整手段５００ａ、５００ｂ（第１位置調整手段及び角度調整手段）とを備えている。以下、メガネの各部について詳しく説明する。なお、図１において、フレーム１００のフロントフレーム１１０の長さ方向に対して略平行な第１方向がＤ１、メガネの上下方向である第２方向がＤ２、メガネの前後方向である第３方向がＤ３として表されている。
【００３２】
フレーム１００は樹脂製品である。このフレーム１００は、フロントフレーム１１０と、一対のテンプル１２０とを有している。フロントフレーム１１０は長尺状の平板である。フロントフレーム１１０は、スリット１１１ａ、１１１ｂ（第１、第２スリット）と、スリット１１１ａ、１１１ｂの間の中央部と、第１方向Ｄ１の両端部とを有している。スリット１１１ａ、１１１ｂは、フロントフレーム１１０を第２方向Ｄ２に貫通し且つ第１方向Ｄ１に延びた楕円形の貫通孔である。テンプル１２０は、フロントフレーム１１０の前記両端部に当該フロントフレーム１１０に対して略直角に連設され、第３方向Ｄ３の後側に延びている。
【００３３】
クリングス２００は、フロントフレーム１１０の前記中央部から第２方向Ｄ２に垂下された樹脂である。クリングス２００の下端部の第１方向Ｄ１の両端には、樹脂製のノーズパッド３００が一体的に設けられている。
【００３４】
レンズ部４００ａ、４００ｂは、リム４１０ａ、４１０ｂと、液晶シャッタレンズ４２０ａ、４２０ｂと、図示しない駆動モジュールとを有している。リム４１０ａ、４１０ｂは略矩形状の枠であって、内部に液晶シャッタレンズ４２０ａ、４２０ｂが設けられている。駆動モジュールは、図示しない三次元映像表示装置の右目用、左目用の画像に応じて、液晶シャッタレンズ４２０ａ、４２０ｂを各々駆動させる駆動信号を生成する電子回路部である。液晶シャッタレンズ４２０ａ、４２０ｂは前記駆動信号を受け、右目用、左目用の画像に応じて左右の視界を交互に遮蔽するようになっている。
【００３５】
位置角度調整手段５００ａ、５００ｂは、スリット１１１ａ、１１１ｂと、位置調整棒５１０ａ、５１０ｂ（第１、第２位置調整棒）と、抜け止め部５２０ａ、５２０ｂとを有している。位置調整棒５１０ａ、５１０ｂは、柔軟に曲げ自在なフレキシブルチューブであって、その外周面に螺旋状の溝が形成されている。この位置調整棒５１０ａ、５１０ｂは上端部及び下端部を有している。位置調整棒５１０ａ、５１０ｂの上端部がフロントフレーム１１０のスリット１１１ａ、１１１ｂに第１方向Ｄ１に移動自在及び第３方向に回転自在に圧入され、当該位置調整棒５１０ａ、５１０ｂがフロントフレーム１１０に垂下されている。位置調整棒５１０ａ、５１０の下端部は、リム４１０ａ、４１０ｂの上端部の中央部に固着されている。よって、位置調整棒５１０ａ、５１０ｂがスリット１１１ａ、１１１ｂ内を第１方向Ｄ１に移動することにより、レンズ部４００ａ、４００ｂがフロントフレーム１１０に対して第１方向Ｄ１に位置調整可能となっている。また、位置調整棒５１０ａ、５１０ｂがスリット１１１ａ、１１１ｂ内を第３方向Ｄ３に回転することにより、レンズ部４００ａ、４００ｂがフロントフレーム１１０に対して第３方向Ｄ３に各々回転可能となっている。
【００３６】
抜け止め部５２０ａ、５２０ｂは、外径がフロントフレーム１１０のスリット１１１ａ、１１１ｂの第３方向Ｄ３の幅寸法よりも大きい円板であって、位置調整棒５１０ａ、５１０ｂの上端に固着されている。この抜け止め部５２０ａ、５２０ｂがフロントフレーム１１０の上面に当接し、これにより位置調整棒５１０ａ、５１０ｂの下方への抜けを防止している。
【００３７】
以下、上述した構成のメガネの組み立て手順について説明する。まず、フレーム１００を用意する。このフレーム１００には、クリングス２００及びノーズパッド３００が予め設けられている。その後、抜け止め部５２０ａ、５２０ｂ付きの位置調整棒５１０ａ、５１０ｂを用意する。その後、位置調整棒５１０ａ、５１０ｂをフロントフレーム１１０のスリット１１１ａ、１１１ｂに上方から圧入し、抜け止め部５２０ａ、５２０ｂをフロントフレーム１１０の上面に当接させる。その後、位置調整棒５１０ａ、５１０ｂの下端部をレンズ部４００ａ、４００ｂのリム４１０ａ、４１０ｂに固着させる。
【００３８】
以下、上述の通り組み立てられたメガネの使用方法について説明する。まず、使用者がメガネを掛けた状態で、位置調整棒５１０ａを第１方向Ｄ１の何れか一方向に押圧し、使用者の眼球がレンズ部４００ａの略中心に位置するように、位置調整棒５１０ａ及びレンズ部４００ａを同方向に移動させる。このとき、位置調整棒５１０ａがスリット１１１ａ内を前記一方向に移動する。同様に、位置調整棒５１０ｂを第１方向Ｄ１の何れか一方向に押圧し、使用者の眼球がレンズ部４００ｂの略中心に位置するように、位置調整棒５１０ｂ及びレンズ部４００ｂを同方向に移動させる。このとき、位置調整棒５１０ｂがスリット１１１ｂ内を前記一方向に移動する。このようにして使用者の目の幅に合わせてレンズ部４００ａ、４００ｂの間の間隔を調整することができる。
【００３９】
その後、レンズ部４００ａのリム４１０ａの第１方向Ｄ１の両端の何れか一方を押圧し、位置調整棒５１０ａ及びレンズ部４００ａをフロントフレーム１１０に対して第３方向Ｄ３に回転させ、レンズ部４００ａの角度調整をする。同様に、レンズ部４００ｂのリム４１０ｂの第１方向Ｄ１の両端の何れか一方を押圧し、位置調整棒５１０ｂ及びレンズ部４００ｂをフロントフレーム１１０に対して第３方向Ｄ３に回転させ、レンズ部４００ｂの角度調整をする。
【００４０】
その後、レンズ部４００ａ、４００ｂを押圧して、位置調整棒５１０ａ、５１０ｂを湾曲させ、当該レンズ部４００ａ、４００ｂの位置を微調整することも可能である。
【００４１】
上述したメガネは、使用者の目の幅に合わせてレンズ部４００ａ、４００ｂの間の間隔が調整可能となっている。よって、万人の目の幅に適応できるようにレンズ部４００ａ、４００ｂを大きくする必要がないので、レンズ部４００ａ、４００ｂの小型化を図ることができ且つメガネの軽量化を図ることができる。しかも、前記メガネは、レンズ部４００ａ、４００ｂを使用者にとって適した角度に調整することができるので、使用者がレンズ部４００ａ、４００ｂを通じて立体画像を見易くなる。しかも、レンズ部４００ａ、４００ｂが小型化することにより、レンズ部４００ａ、４００ｂのコストダウン及び落下強度の向上を図ることもできる。
【実施例２】
【００４２】
次に、本発明の実施例２に係る立体画像視用メガネについて図２を参照しつつ説明する。このメガネは、フレーム１００’と、クリングス２００と、一対のノーズパッド３００と、レンズ部４００ａ、４００ｂと、位置調整手段６００ａ、６００ｂ（第１、第２位置調整手段）とを備えている。前記メガネは、フレーム１００’の形状の点及び位置角度調整手段５００ａ、５００ｂに代えて位置調整手段６００ａ、６００ｂが設けられている点で、実施例１のメガネと相違する。それ以外について、前記メガネは実施例１のメガネと略同じ構成となっている。よって、その相違点についてのみ詳しく説明し、重複する説明については省略する。フレームの符号については、’を付して実施例１のフレーム１００と区別する。図２において、フロントフレーム１１０’の長さ方向に対して略平行な第１方向がＤ１、レンズ部４００ａ、４００ｂがフロントフレーム１１０’に接近離反可能な方向であり且つメガネの上下方向である第２方向がＤ２、メガネの前後方向である第３方向がＤ３として表されている。
【００４３】
フレーム１００’は樹脂製品である。このフレーム１００’は、フロントフレーム１１０’と、一対のテンプル１２０’とを有している。フロントフレーム１１０’は長尺状の板である。フロントフレーム１１０’は、中央部と、第１方向Ｄ１の両端部とを有している。テンプル１２０’は、フロントフレーム１１０’の前記両端部に当該フロントフレーム１１０’に対して略直角に連設され、第３方向Ｄ３の後側に延びている。
【００４４】
位置調整手段６００ａ、６００ｂは、長尺状の棒である上側回動アーム６１０ａ、６１０ｂ（第１、第２回動アーム）と、長尺状の棒である下側回動アーム６２０ａ、６２０ｂ（第３、第４回動アーム）とを有している。上側回動アーム６１０ａ、６１０ｂは、長さ方向の第１端と、その反対側の第２端とを有している。下側回動アーム６２０ａ、６２０ｂも、長さ方向の第１端と、その反対側の第２端とを有している。上側回動アーム６１０ａ、６１０ｂの第１端がフロントフレーム１１０’の前記両端部にピン等で軸支され、上側回動アーム６１０ａ、６１０ｂが第１方向Ｄ１に回動自在になっている。このようにして上側回動アーム６１０ａ、６１０ｂがフロントフレーム１１０’の前記両端部に第１方向Ｄ１に回動自在に連結されている。下側回動アーム６２０ａ、６２０ｂの第１端は上側回動アーム６１０ａ、６１０ｂの第２端にピン等で軸支され、下側回動アーム６２０ａ、６２０ｂが第２方向Ｄ２に回動自在になっている。このようにして下側回動アーム６２０ａ、６２０ｂが上側回動アーム６１０ａ、６１０ｂに第２方向Ｄ２に回動自在に連結されている。下側回動アーム６２０ａ、６２０ｂの第２端は、レンズ部４００ａ、４００ｂのリム４１０ａ、４１０ｂの第１方向Ｄ１の両端部のうち外側の端部の中間部に固着されている。
【００４５】
以下、上述した構成のメガネの組み立て手順について説明する。まず、フレーム１００’を用意する。このフレーム１００’には、クリングス２００及びノーズパッド３００が予め設けられている。その一方で、下側回動アーム６２０ａ、６２０ｂの第１端を上側回動アーム６１０ａ、６１０ｂの第２端に軸支させる。その後、下側回動アーム６２０ａ、６２０ｂの第２端をレンズ部４００ａ、４００ｂのリム４１０ａ、４１０ｂに固着させる。その後、上側回動アーム６１０ａ、６１０ｂの第１端をフロントフレーム１１０’の前記両端部に軸支させる。
【００４６】
以下、上述の通り組み立てられたメガネの使用方法について説明する。まず、使用者がメガネを掛けた状態で、上側回動アーム６１０ａ及び／又は下側回動アーム６２０ａを回動させることにより、使用者の眼球がレンズ部４００ａの略中心に位置するようにレンズ部４００ａを位置調整する。具体的には、レンズ部４００ａ又は上側回動アーム６１０ａを第１方向Ｄ１の何れか一方向に押圧し、上側回動アーム６１０ａをフロントフレーム１１０’に対して同方向に回動させる。これにより、レンズ部４００ａが第１方向Ｄ１の何れか一方向に移動する。これと共に、レンズ部４００ａ又は下側回動アーム６２０ａを第２方向Ｄ２の何れか一方向に押圧し、下側回動アーム６２０ａを同方向に回動させる。これにより、レンズ部４００ａが第２方向Ｄ２の何れか一方向に移動する。
【００４７】
前記使用者がメガネを掛けた状態で、上側回動アーム６１０ｂ及び／又は下側回動アーム６２０ｂを回動させることにより、使用者の眼球がレンズ部４００ｂの略中心に位置するようにレンズ部４００ｂを位置調整する。具体的には、レンズ部４００ｂ又は上側回動アーム６１０ｂを第１方向Ｄ１の何れか一方向に押圧し、上側回動アーム６１０ｂをフロントフレーム１１０’に対して同方向に回動させる。これにより、レンズ部４００ｂが第１方向Ｄ１の何れか一方向に移動する。これと共に、レンズ部４００ｂ又は下側回動アーム６２０ｂを第２方向Ｄ２の何れか一方向に押圧し、下側回動アーム６２０ｂを同方向に回動させる。これにより、レンズ部４００ｂが第２方向Ｄ２の何れか一方向に移動する。
【００４８】
上述したメガネは、使用者の眼球の位置に合わせてレンズ部４００ａ、４００ｂの間の間隔及び高さを位置調整することができる。よって、万人の眼球の位置に適応できるようにレンズ部４００ａ、４００ｂを大きくする必要がないので、レンズ部４００ａ、４００ｂの小型化を図ることができ且つメガネの軽量化を図ることができる。しかも、レンズ部４００ａ、４００ｂが小型化することにより、レンズ部４００ａ、４００ｂのコストダウン及び落下強度の向上を図ることもできる。
【実施例３】
【００４９】
最後に、本発明の実施例３に係る立体画像視用メガネについて図３を参照しつつ説明する。このメガネは、フレーム１００’’と、図示しない一対のノーズパッドと、レンズ部４００ａ、４００ｂ（第１、第２レンズ）と、位置調整手段７００（第１、第２位置調整手段）とを備えている。前記メガネは、フレーム１００’’のフロントフレーム１１０’’の形状の点及び位置角度調整手段５００ａ、５００ｂに代えて位置調整手段７００が設けられている点で、実施例１のメガネと相違する。それ以外について、前記メガネは実施例１のメガネと略同じ構成となっている。よって、その相違点についてのみ詳しく説明し、重複する説明については省略する。フレームの符号については、’’を付して実施例１のフレーム１００と区別する。図３において、フロントフレーム１１０’’の長さ方向に対して略平行な第１方向がＤ１、レンズ部４００ａ、４００ｂがフロントフレーム１１０’’に接近離反可能な方向であり且つメガネの上下方向である第２方向がＤ２として表されている。
【００５０】
フレーム１００’’は樹脂製品である。このフレーム１００’’は、フロントフレーム１１０’’と、図示しない一対のテンプルとを有している。フロントフレーム１１０’’は略矩形状の長板である。フロントフレーム１１０’’は、中央部と、第１方向Ｄ１の両端部とを有している。フロントフレーム１１０’’の中央部には、第２方向Ｄ２に貫通するスリット１１１’’が設けられている。前記テンプル１２０は、フロントフレーム１１０’’の前記両端部に当該フロントフレーム１１０’’に対して略直角に連設され、後方に延びている。
【００５１】
位置調整手段７００は、スリット１１１’’と、ブリッジ７１０と、位置調整棒７２０ａ、７２０ｂ（第３、第４位置調整棒）とを有している。ブリッジ７１０は、垂下部７１１と、抜け止め部７１２と、ブリッジ本体７１３とを有している。垂下部７１１はフロントフレーム１１０’’のスリット１１１’’に第２方向Ｄ２に移動自在に圧入されている。抜け止め部７１２は、外径がスリット１１１’’の幅寸法よりも大きい円板であって、垂下部７１１の上端に固着されている。この抜け止め部７１２がフロントフレーム１１０’’の上面に当接し、これにより垂下部７１１の下方への抜けを防止している。
【００５２】
ブリッジ本体７１３は、垂下部７１１の下端に一体的に構成された略直方体である。このブリッジ本体７１３に前記ノーズパッドが設けられている。また、ブリッジ本体７１３は、第１方向Ｄ１に貫通し且つ第１方向Ｄ１に延びた係合孔７１３ａ、７１３ｂ（第１、第２係合孔）を有している。
【００５３】
位置調整棒７２０ａ、７２０ｂはフレキシブルチューブである。この位置調整棒７２０ａ、７２０ｂはレンズ部４００ａ、４００ｂのリム４１０ａ、４１０ｂの内側の端部に固着され、第１方向Ｄ１に延びている。この位置調整棒７２０ａ、７２０ｂがブリッジ７１０の係合孔７１３ａ、７１３ｂに第１方向Ｄ１に移動自在に圧入されている。
【００５４】
以下、上述した構成のメガネの組み立て手順について説明する。まず、フレーム１００’’を用意する。その後、抜け止め部７１２付きの垂下部７１１を用意する。その後、垂下部７１１をフロントフレーム１１０’’のスリット１１１’’に上方から挿入し、抜け止め部７１２をフロントフレーム１１０’’の上面に当接させる。その後、ブリッジ本体７１３を用意する。その後、垂下部７１１にブリッジ本体７１３を固着させる。その後、位置調整棒７２０ａ、７２０ｂ付きのレンズ部４００ａ、４００ｂを用意する。その後、位置調整棒７２０ａ、７２０ｂをブリッジ本体７１３の係合孔７１３ａ、７１３ｂに各々圧入する。
【００５５】
以下、上述の通り組み立てられたメガネの使用方法について説明する。まず、使用者がメガネを掛ける。この状態で、レンズ部４００ａを第１方向Ｄ１の何れか一方向に押圧し、当該レンズ部４００ａを同方向に移動させる。このとき、位置調整棒７２０ａがブリッジ７１０の係合孔７１３ａ内を同方向に移動する。同様に、レンズ部４００ｂを第１方向Ｄ１の何れか一方向に押圧し、当該レンズ部４００ｂを同方向に移動させる。このとき、位置調整棒７２０ｂがブリッジ７１０の係合孔７１３ｂ内を同方向に移動する。このようにして使用者の眼球の位置に合わせてレンズ部４００ａ、４００ｂの間の間隔を調整することができる。
【００５６】
その一方で、ブリッジ本体７１３を第２方向Ｄ２の何れか一方向に押圧すると、ブリッジ本体７１３及びレンズ部４００ａ、４００ｂが同方向に移動する。このとき、垂下部７１１がフロントフレーム１１０’’のスリット１１１’’内を同方向に移動する。これにより、使用者の眼球の位置に合わせてレンズ部４００ａ、４００ｂの高さを調整することができる。
【００５７】
上述したメガネは、使用者の眼球の位置に合わせてレンズ部４００ａ、４００ｂの間の間隔及び高さを位置調整することができる。よって、万人の眼球の位置に適応できるようにレンズ部４００ａ、４００ｂを大きくする必要がないので、レンズ部４００ａ、４００ｂの小型化を図ることができ且つメガネの軽量化を図ることができる。しかも、レンズ部４００ａ、４００ｂが小型化することにより、レンズ部４００ａ、４００ｂのコストダウン及び落下強度の向上を図ることもできる。
【００５８】
なお、本発明に係るメガネは、上記実施例１〜３に限定されるものではなく、特許請求の範囲の記載の範囲において任意に設計変更することが可能である。以下、前記メガネの設計変更について具体的に述べる。
【００５９】
上記実施例では、本発明に係るメガネは、位置角度調整手段５００ａ、５００ｂ、位置調整手段６００ａ、６００ｂ又は位置調整手段７００を備えているとしたが、第１位置調整手段を備えている限り任意に設計変更することが可能である。前記第１位置調整手段は、前記フロントフレームに対して前記第１、第２レンズ部を、当該フロントフレームの長さ方向に対して略平行な第１方向に各々位置調整可能である限り任意に設計変更することが可能である。よって、第１位置調整手段は、上記実施例１の第１位置調整手段（すなわち、位置調整棒５１０ａ、５１０ｂがフロントフレーム１１０のスリット１１１ａ、１１１ｂ内を第１方向Ｄ１に移動自在に圧入された構成）、上記実施例２の第１位置調整手段（すなわち、上側回動アーム６１０ａ、６１０ｂがフロントフレーム１１０’に第１方向Ｄ１に回動自在に連結された構成）、上記実施例３の第１位置調整手段（すなわち、レンズ部４００ａ、４００ｂに固着された位置調整棒７２０ａ、７２０ｂがブリッジ７１０の係合孔７１３ａ、７１３ｂに第１方向Ｄ１に移動自在に圧入された構成）に限定されない。
【００６０】
上記実施例２では、第２位置調整手段として下側回動アーム６２０ａ、６２０ｂが上側回動アーム６１０ａ、６１０ｂに第２方向Ｄ２に回動自在に連結された構成であり、第３実施例３では、ブリッジ７１０の垂下部７１１がフロントフレーム１１０’’のスリット１１１’’に第２方向Ｄに移動自在に圧入された構成であるとしたが、これに限定されるものではない。第２位置調整手段は、前記フロントフレームに対して前記第１、第２レンズ部を、当該第１、第２レンズ部が前記フロントフレームに接近離反可能な方向である第２方向に位置調整可能である限り任意に設計変更することが可能である。例えば、位置調整棒５１０ａ、５１０ｂをフロントフレーム１１０のスリット１１１ａ、１１１ｂ内を第２方向Ｄ２にも移動自在に係合させたり、位置調整棒５１０ａ、５１０ｂにレンズ部４００ａ、４００ｂのリム４１０ａ、４１０ｂを第２方向Ｄ２に移動自在に係合させたりすることができる。また、後述するように、位置調整手段６００ａ、６００ｂが上側回動アーム６１０ａ、６１０ａのみを有する構成である場合、上側回動アーム６１０ａ、６１０の第２端をレンズ部４００ａ、４００ｂのリム４１０ａ、４１０ｂを第２方向Ｄ２に移動自在に係合させることが可能である。
【００６１】
上記実施例１では、角度調整手段として位置調整棒５１０ａ、５１０ｂがフロントフレーム１１０のスリット１１１ａ、１１１ｂ内を第３方向Ｄ３に回転自在に圧入されているとしたが、これに限定されるものではない。角度調整手段は、前記フロントフレームに対して前記第１、第２レンズ部を、前記メガネの前後方向である第３方向に各々回転させることが可能である限り任意に設計変更することが可能である。例えば、前記角度調整手段は、位置調整棒５１０ａ、５１０ｂの第１端部が、フロントフレーム１１０のスリット１１１ａ、１１１ｂ内に第１方向Ｄ１に移動自在に係合され、位置調整棒５１０ａ、５１０ｂの第２端部が、レンズ部４００ａ、４００ｂが第３方向Ｄ３に回転自在に係合されるように設計変更することが可能である。この場合、レンズ部４００ａ、４００ｂを位置調整棒５１０ａ、５１０ｂに対して第３方向Ｄ３に回転させることで、レンズ部４００ａ、４００ｂの角度調整を行うことができる。また、レンズ部４００ａ、４００ｂのリム４１０ａ、４１０ｂを下側回動アーム６２０ａ、６２０ｂの第２端に第３方向Ｄ３に回転自在に連結することも可能である。また、後述するように、位置調整手段６００ａ、６００ｂが上側回動アーム６１０ａ、６１０ａのみを有する構成である場合、レンズ部４００ａ、４００ｂのリム４１０ａ、４１０ｂを上側回動アーム６１０ａ、６１０ａの第２端に第３方向Ｄ３に回転自在に連結することも可能である。
【００６２】
上記実施例１では、位置調整棒５１０ａ、５１０ｂとしてフレキシブルチューブを用いるとしたが、前記位置調整棒はフロントフレームのスリットに少なくとも第１方向に移動自在に係合される棒である限り、任意に設計変更することが可能である。上記実施例３では、位置調整棒７２０ａ、７２０ｂとしてフレキシブルチューブを用いるとしたが、前記位置調整棒はブリッジの係合孔に少なくとも第１方向に移動自在に係合される棒である限り、任意に設計変更することが可能である。また、上記実施例３では、係合孔７１３ａ、７１３ｂがブリッジ本体７１３を第１方向Ｄ１に貫通するとしたが、その形状は第１方向Ｄ１に延び且つ位置調整棒が同方向に移動自在である限り任意に設計変更することが可能である。
【００６３】
上記実施例１〜３では、フロントフレームは長尺状の板であるとしたが、その形状は２つのレンズ部を支持し得る限り任意に設計変更することが可能である。また、上記実施例１では、スリット１１１ａ、１１１ｂは、フロントフレーム１１０を貫通しているとしたが、これに限定されるものではない。スリットは第１方向に延びており且つ第１、第２位置調整棒が少なくとも第１方向に移動自在に係合され得る形状である限り任意に設計変更することが可能である。上記実施例３では、係合穴７１３ａ、７１３ｂは、ブリッジ本体７１３を第１方向Ｄ１に貫通するとしたが、係合孔は第１方向に延びており且つ第３、第４位置調整棒が少なくとも第１方向に移動自在に係合され得る形状である限り任意に設計変更することが可能である。更に、上記実施例３では、ブリッジ７１０の垂下部７１１がフロントフレーム１１０’’のスリット１１１’’に第２方向Ｄ２に移動自在に圧入されるとしたが、ブリッジはフロントフレーム第２方向に移動自在に係合されている限り、任意に設計変更することが可能である。また、ブリッジをフロントフレームに移動不能に固着させることも可能である。この場合、ブリッジが第２位置調整手段として機能しない。
【００６４】
上記実施例２では、位置調整手段６００ａ、６００ｂは、上側回動アーム６１０ａ、６１０ｂと、下側回動アーム６２０ａ、６２０ｂとを有しているとしたが、少なくとも上側回動アームを有している限り任意に設計変更することが可能である。この場合、回動アームにレンズ部が固着される。また、上側回動アームは、フロントフレームの両端部以外の箇所に回動自在に連結することが可能である。
【００６５】
上記実施例１〜３では、レンズ部４００ａ、４００ｂは、リム４１０ａ、４１０ｂと、液晶シャッタレンズ４２０ａ、４２０ｂとを有するとしたが、少なくともレンズを有している限り任意に設計変更することが可能である。前記レンズは、アナグリフ式レンズ又は偏光フィルタ式レンズを用いることが可能である。また、前記レンズとして樹脂レンズ又はガラスレンズを用い、本発明に係るメガネを立体画像視用以外のメガネに適応させることも可能である。すなわち、本発明は、立体画像視用メガネに限定されることはなく、視力測定用等の他の用途のメガネにも適応可能である。
【００６６】
なお、上記実施の形態では、メガネの各部を構成する素材、形状、寸法、数及び配置等はその一例を説明したものであって、同様の機能を実現し得る限り任意に設計変更することが可能である。
【符号の説明】
【００６７】
１００・・・・フレーム
１１０・・・フロントフレーム
１１１ａ・スリット（第１スリット）
１１１ｂ・スリット（第２スリット）
１００’・・・フレーム
１１０’・・フロントフレーム
１００’’・・フレーム
１１０’’・フロントフレーム
２００・・・・クリングス
３００・・・・ノーズパッド３００
４００ａ・・・レンズ部（第１レンズ部）
４００ｂ・・・レンズ部（第２レンズ部）
５００ａ・・・位置角度調整手段（第１位置調整手段及び角度調整手段）
５１０ａ・・位置調整棒（第１位置調整棒）
５００ｂ・・・位置角度調整手段（第１位置調整手段及び角度調整手段）
５１０ｂ・・位置調整棒（第２位置調整棒）
６００ａ・・・位置調整手段（第１、第２位置調整手段）
６１０ａ・・上側回動アーム（第１回動アーム）
６２０ａ・・下側回動アーム（第３回動アーム）
６００ｂ・・・位置調整手段（第１、第２位置調整手段）
６１０ｂ・・上側回動アーム（第２回動アーム）
６２０ｂ・・下側回動アーム（第４回動アーム）
７００・・・・位置調整手段（第１、第２位置調整手段）
７１０・・・ブリッジ
７１１・・垂下部
７１２・・抜け止め部
７１３・・ブリッジ本体
７１３ａ・係合孔（第１係合孔）
７１３ｂ・係合孔（第２係合孔）
７２０ａ・・・位置調整棒（第３位置調整棒）
７２０ｂ・・・位置調整棒（第４位置調整棒）
Ｄ１・・・・・・第１方向
Ｄ２・・・・・・第２方向
Ｄ３・・・・・・第３方向
【図１】
2012173716.tif 000003
【図２】
2012173716.tif 000004
【図３】
2012173716.tif 000005